【手続補正書】
【提出日】平成23年6月22日(2011.6.22)
【手続補正１】
【補正対象書類名】特許請求の範囲
【補正対象項目名】全文
【補正方法】変更
【補正の内容】
【特許請求の範囲】
【請求項１】
通信装置であって、
外部装置からコマンドを受信する受信手段と、
前記外部装置に映像データ及び音声データの少なくとも一つを送信する送信手段と、
前記通信装置が第１の状態から前記第１の状態と異なる第２の状態に変更される場合、前記第２の状態に関連するデータが前記送信手段によって前記外部装置に送信されるまでの所定の期間、前記外部装置から前記受信手段によって受信される所定のコマンドに応じた制御が行われないようにする制御手段とを有する通信装置。
【請求項２】
前記所定のコマンドは、前記通信装置の電源をオフにするためのコマンドを含まないことを特徴とする請求項１に記載の通信装置。
【請求項３】
前記外部装置から前記通信装置の電源をオフにするためのコマンドが受信される場合、前記制御手段は、前記所定のコマンドに応じた制御が行われない場合であっても、前記通信装置の電源をオフにするための制御が行われるようにすることを特徴とする請求項１または２に記載の通信装置。
【請求項４】
前記所定の期間は、前記外部装置をミュート状態にするためのデータが前記送信手段によって前記外部装置に送信される期間を含むことを特徴とする請求項１から３のいずれか１項に記載の通信装置。
【請求項５】
前記通信装置は、映像データを表示する表示手段を有し、
前記所定の期間は、前記表示手段をミュート状態にするための処理が行われる期間を含むことを特徴とする請求項１から４のいずれか１項に記載の通信装置。
【請求項６】
前記第１の状態は、電源オフ状態であり、前記第２の状態は、電源オン状態であることを特徴とする請求項１から５のいずれか１項に記載の通信装置。
【請求項７】
前記第１の状態は、撮影モードであり、前記第２の状態は、再生モードであることを特徴とする請求項１から５のいずれか１項に記載の通信装置。
【請求項８】
前記第１の状態は、再生モードであり、前記第２の状態は、撮影モードであることを特徴とする請求項１から５のいずれか１項に記載の通信装置。
【請求項９】
前記送信手段は、第１の通信ラインを介して前記外部装置に映像データ及び音声データの少なくとも一つを送信し、
前記受信手段は、前記第１の通信ラインと異なる第２の通信ラインを介して前記外部装置からコマンドを受信することを特徴とする請求項１から８のいずれか１項に記載の通信装置。
【請求項１０】
前記送信手段は、ＨＤＭＩ（Ｈｉｇｈ‐Ｄｅｆｉｎｉｔｉｏｎ  Ｍｕｌｔｉｍｅｄｉａ  Ｉｎｔｅｒｆａｃｅ）規格のＴＭＤＳ（Ｔｒａｎｓｉｔｉｏｎ  Ｍｉｎｉｍｉｚｅｄ  Ｄｉｆｆｅｒｅｎｔｉａｌ  Ｓｉｎｇｎａｌｉｎｇ）に準拠し、前記受信手段は、ＨＤＭＩ規格のＣＥＣ（Ｃｏｎｓｕｍｅｒ  Ｅｌｅｃｔｒｏｎｉｃｓ  Ｃｏｎｔｒｏｌ）に準拠することを特徴とする請求項１から９のいずれか１項に記載の通信装置。
【請求項１１】
通信装置であって、
外部装置からコマンドを受信する受信手段と、
前記外部装置に映像データ及び音声データの少なくとも一つを送信する送信手段と、
前記通信装置によりミュート処理が行われる所定の期間、前記外部装置から前記受信手段によって受信される所定のコマンドに応じた制御が行われないようにする制御手段とを有する通信装置。
【請求項１２】
前記所定のコマンドは、前記通信装置の電源をオフにするためのコマンドを含まないことを特徴とする請求項１１に記載の通信装置。
【請求項１３】
前記外部装置から前記通信装置の電源をオフにするためのコマンドが受信される場合、前記制御手段は、前記所定のコマンドに応じた制御が行われない場合であっても、前記通信装置の電源をオフにするための制御が行われるようにすることを特徴とする請求項１１または１２に記載の通信装置。
【請求項１４】
前記所定の期間は、前記外部装置をミュート状態にするためのデータが前記送信手段によって前記外部装置に送信される期間を含むことを特徴とする請求項１１から１３のいずれか１項に記載の通信装置。
【請求項１５】
前記通信装置は、映像データを表示する表示手段を有し、
前記所定の期間は、前記表示手段をミュート状態にするための処理が行われる期間を含むことを特徴とする請求項１１から１４のいずれか１項に記載の通信装置。
【請求項１６】
前記送信手段は、第１の通信ラインを介して前記外部装置に映像データ及び音声データの少なくとも一つを送信し、
前記受信手段は、前記第１の通信ラインと異なる第２の通信ラインを介して前記外部装置からコマンドを受信することを特徴とする請求項１１から１５のいずれか１項に記載の通信装置。
【請求項１７】
前記送信手段は、ＨＤＭＩ（Ｈｉｇｈ‐Ｄｅｆｉｎｉｔｉｏｎ  Ｍｕｌｔｉｍｅｄｉａ  Ｉｎｔｅｒｆａｃｅ）規格のＴＭＤＳ（Ｔｒａｎｓｉｔｉｏｎ  Ｍｉｎｉｍｉｚｅｄ  Ｄｉｆｆｅｒｅｎｔｉａｌ  Ｓｉｎｇｎａｌｉｎｇ）に準拠し、前記受信手段は、ＨＤＭＩ規格のＣＥＣ（Ｃｏｎｓｕｍｅｒ  Ｅｌｅｃｔｒｏｎｉｃｓ  Ｃｏｎｔｒｏｌ）に準拠することを特徴とする請求項１１から１６のいずれか１項に記載の通信装置。
【請求項１８】
外部装置からコマンドを受信する受信手段と、前記外部装置に映像データ及び音声データの少なくとも一つを送信する送信手段と有する通信装置を制御するためのコンピュータプログラムであって、
前記通信装置が第１の状態から前記第１の状態と異なる第２の状態に変更される場合、前記第２の状態に関連するデータが前記送信手段によって前記外部装置に送信されるまでの所定の期間、前記外部装置から前記受信手段によって受信される所定のコマンドに応じた制御が行われないようにするステップをコンピュータに実行させるコンピュータプログラム。
【請求項１９】
外部装置からコマンドを受信する受信手段と、前記外部装置に映像データ及び音声データの少なくとも一つを送信する送信手段と有する通信装置を制御するためのコンピュータプログラムであって、
前記通信装置によりミュート処理を行われる所定の期間、前記外部装置から前記受信手段によって受信される所定のコマンドに応じた制御が行われないようにするステップをコンピュータに実行させるコンピュータプログラム。
【手続補正２】
【補正対象書類名】明細書
【補正対象項目名】０００１
【補正方法】変更
【補正の内容】
【０００１】
本発明は、外部装置にデータを送信する通信装置及び当該通信装置で実行されるコンピュータプログラムに関する。
【手続補正３】
【補正対象書類名】明細書
【補正対象項目名】０００７
【補正方法】変更
【補正の内容】
【０００７】
本発明は、ユーザの誤操作を防止し、操作性の向上を図ることを目的とする。
【手続補正４】
【補正対象書類名】明細書
【補正対象項目名】０００８
【補正方法】変更
【補正の内容】
【０００８】
本発明に係る通信装置は、通信装置であって、外部装置からコマンドを受信する受信手段と、前記外部装置に映像データ及び音声データの少なくとも一つを送信する送信手段と、前記通信装置が第１の状態から前記第１の状態と異なる第２の状態に変更される場合、前記第２の状態に関連するデータが前記送信手段によって前記外部装置に送信されるまでの所定の期間、前記外部装置から前記受信手段によって受信される所定のコマンドに応じた制御が行われないようにする制御手段とを有することを特徴とする。
また、本発明に係る通信装置は、通信装置であって、外部装置からコマンドを受信する受信手段と、前記外部装置に映像データ及び音声データの少なくとも一つを送信する送信手段と、前記通信装置によりミュート処理が行われる所定の期間、前記外部装置から前記受信手段によって受信される所定のコマンドに応じた制御が行われないようにする制御手段とを有することを特徴とする。
【手続補正５】
【補正対象書類名】明細書
【補正対象項目名】０００９
【補正方法】変更
【補正の内容】
【０００９】
また、本発明に係るコンピュータプログラムは、外部装置からコマンドを受信する受信手段と、前記外部装置に映像データ及び音声データの少なくとも一つを送信する送信手段と有する通信装置を制御するためのコンピュータプログラムであって、前記通信装置が第１の状態から前記第１の状態と異なる第２の状態に変更される場合、前記第２の状態に関連するデータが前記送信手段によって前記外部装置に送信されるまでの所定の期間、前記外部装置から前記受信手段によって受信される所定のコマンドに応じた制御が行われないようにするステップをコンピュータに実行させることを特徴とする。
また、本発明に係るコンピュータプログラムは、外部装置からコマンドを受信する受信手段と、前記外部装置に映像データ及び音声データの少なくとも一つを送信する送信手段と有する通信装置を制御するためのコンピュータプログラムであって、前記通信装置によりミュート処理を行われる所定の期間、前記外部装置から前記受信手段によって受信される所定のコマンドに応じた制御が行われないようにするステップをコンピュータに実行させることを特徴とする。